(57)【要約】      （修正有）【課題】草刈機や刈払機の切断性能を高め、摩耗しにくい回転刈刃を提供する。【解決手段】外周部に複数の背刃１２，１４，１６，１８及び丸みを帯びた刃底１１，１３，１５，１７を有する、草刈機又は刈払機に装着することが可能な略円形の回転刈刃１０であって、前記複数の背刃の研ぎ角度がいずれも水平面に対して７０度から７５度の範囲内であり、前記複数の刃底の研ぎ角度がいずれも水平面に対して６５度から７５度の範囲内であり、複数の刃底が研がれている面は一つの背刃を挟んで隣接する刃底において異なり、複数の背刃の研がれている面は、それぞれ回転刈刃の回転の正方向に向かって隣接する刃底が研がれている面と同一であって、それぞれ回転の逆方向に向かって隣接する刃底が研がれている面と異なる。【選択図】図１
0003201109.tif 000002
【実用新案登録請求の範囲】
【請求項１】
外周部に複数の背刃及び複数の刃底を有する、草刈機又は刈払機に装着することが可能な略円形の回転刈刃であって、
前記複数の背刃の研ぎ角度がいずれも回転刈刃を平面上に置いたときに水平面に対して７０度から７５度の範囲内であり、
前記複数の刃底の研ぎ角度がいずれも回転刈刃を平面上に置いたときに水平面に対して６５度から７５度の範囲内であり、
前記複数の刃底が研がれている面は一つの背刃を挟んで隣接する二つの刃底において異なり、
前記複数の背刃の研がれている面は、それぞれ前記回転刈刃の回転の正方向に向かって隣接する前記刃底が研がれている面と同一であって、それぞれ前記回転刈刃の回転の逆方向に向かって隣接する前記刃底が研がれている面と異なる、
回転刈刃。
【請求項２】
外周部に複数の背刃及び複数の刃底を有する、草刈機又は刈払機に装着することが可能な略円形の回転刈刃であって、
前記複数の背刃の研ぎ角度がいずれもアサリが施される前に回転刈刃を平面上に置いたときに水平面に対して７０度から７５度の範囲内であり、
前記複数の刃底の研ぎ角度がいずれもアサリが施される前に回転刈刃を平面上に置いたときに水平面に対して６５度から７５度の範囲内であり、
前記複数の刃底が研がれている面は一つの背刃を挟んで隣接する二つの刃底において異なり、
前記複数の背刃の研がれている面は、それぞれ前記回転刈刃の回転の正方向に向かって隣接する前記刃底が研がれている面と同一であって、それぞれ前記回転刈刃の回転の逆方向に向かって隣接する前記刃底が研がれている面と異なり、
前記回転刈刃の厚みの０．８〜１．２倍のアサリが前記複数の背刃に施されている、
回転刈刃。
【考案の詳細な説明】
【技術分野】
【０００１】
本考案は、草刈機及び刈払機に関し、特に、草刈機用の刃に関する。
【背景技術】
【０００２】
現在、空き地等の草を刈るために使用される草刈機や、山林の草や小径木を刈払うための刈払機には、ガソリンを主体とした燃料を使用するものと、充電又は交流電流により動作する電気式のものがあり、前者が主流となっている。草刈機の刃としては、草刈機の機種によって鋼鉄などの金属製の円盤状のものと、ナイロン製のコードが使用されているが、一般に前者の方が容易に草を刈ることができる。また、刈払機の刃は一般に金属製の円盤状のものである。
【０００３】
草刈機及び刈払機の刃のうち、鋼鉄などの金属製の円盤状のものは一般に回転刈刃と呼ばれる。回転刈刃にはチップソー、笹刈刃及び鋸刃といった種類があるが、このうち笹刈り刃及び鋸刃については、円盤の外周の刃先が鋸状になっている。刈払機に鋸刃を装着して使用した場合、一般に直径５センチメートルを超える木を切断することは困難であり、鋸刃の説明書にもそのような説明がなされていることが多い。
【０００４】
図７及び図８は、それぞれ従来の回転刈刃の平面図及び側面図である。回転刈刃の外周には多数の背刃及び刃底が設けられており、これらはそれぞれ統一された角度により研がれている。回転刈刃を草刈機又は刈払機に装着して使用する際には、多数の研がれた背刃及び刃底が刈られる草木に連続して当たることにより、草木を切断することができる。
【０００５】
図９は、図７の部分Ｃを拡大した拡大平面図である。一般に回転刈刃を使用した草刈機及び刈払機には回転の正方向と逆方向があり、草木に主に刃底が当たる方向が回転の正方向であって、草木に主に背刃が当たる方向が回転の逆方向である。一般に、草刈機又は刈払機の駆動部側から回転刈刃を見た場合の反時計回り方向が回転の正方向とされ、時計回り方向が回転の逆方向とされている。また、一般に草刈機又は刈払機に装着した際に駆動部側になる回転刈刃の面が回転刈刃の表（おもて）面、反対の面が回転刈刃の裏面とされている。
【０００６】
ここで、図７における反時計回り方向及び図９における左下方向が回転の正方向であり、図７における時計回り方向及び図９における右上方向が回転の逆方向である。なお、図７及び図９における点線は、点線と回転刈刃５０の外周により囲まれる部分が、裏面において研がれていることを示す。
【０００７】
図９に示されるように、従来の笹刈り刃のような回転刈刃においては、刃底５１と、回転の正方向において刃底５１に隣接する背刃５２が同一面において研がれている。次に回転の正方向において背刃５２に隣接する刃底５３は背刃５２とは反対の面において研がれており、回転の正方向において刃底５３に隣接する背刃５４は刃底５３と同一の面において研がれている。
【０００８】
図７の平面図において見える面を回転刈刃５０の表面とすると、回転の正方向に向かって、刃底及び背刃の研がれている面はそれぞれ以下の表１の通りとなる。
【表１】
0003201109.tif 000003
【０００９】
一般に回転刈刃の背刃及び刃底の数はそれぞれ数十であって同数であるが、表１では簡略化のためにそれぞれ四つの背刃及び刃底についてのみ研がれた面を示し、また背刃５４以降の参照符号は省略した。図７に示される通り、続く背刃及び刃底についても、同様に裏面、裏面、表面、表面の順に研がれている。
【００１０】
図１０は、従来の回転刈刃のアサリの施し方の例を示す説明図である。図１０は、一つの刃底を挟んで隣接する二つの背刃が重なるような視点から回転刈刃を見た際の見え方を示している。図１０に示される例においては、背刃５２は側面から見て回転刈刃５０の厚みの半分程度左方向に曲げられており、一つの刃底を挟んで背刃５２に隣接する背刃５４は側面から見て回転刈刃５０の厚みの半分程度右方向に曲げられている。各背刃は、背刃５２，５４のように交互に曲げられており、曲げられている方向は図８のように回転刈刃５０の側面から中心に向かって見た場合の左右方向である。図１０における斜線部は、二つの背刃５２，５４が重なっている（背刃５４側から見たときに背刃５２が隠れて見えない）部分を示す。
【００１１】
一般に回転刈刃の刃底は丸みを帯びているが、これは丸ヤスリと呼ばれる円筒状のヤスリで手作業により研ぐことができる。また、背刃については先にグラインダ等で削ってから、平ヤスリで手作業により研ぐことができる。一般に、従来の回転刈刃の背刃及び刃底の研ぎ角度は、回転刈刃を平面上に置いた際に水平面に対して５５〜６０度程度であることが多い。
【考案の開示】
【考案が解決しようとする課題】
【００１２】
本考案が解決しようとする課題は、草刈機や刈払機の切断性能を高め、摩耗しにくい刃を提供することにより、草刈機や刈払機の燃料消費を抑え、機械及び刃の寿命を延ばして、作業者の経済的及び身体的な負担を軽減することである。
【課題を解決するための手段】
【００１３】
本考案による回転刈刃は、外周部に複数の背刃及び複数の刃底を有する、草刈機又は刈払機に装着することが可能な略円形の回転刈刃であって、前記複数の背刃の研ぎ角度がいずれも回転刈刃を平面上に置いたときに水平面に対して７０度から７５度の範囲内であり、前記複数の刃底の研ぎ角度がいずれも回転刈刃を平面上に置いたときに水平面に対して６５度から７５度の範囲内であり、前記複数の刃底が研がれている面は一つの背刃を挟んで隣接する二つの刃底において異なり、前記複数の背刃の研がれている面は、それぞれ前記回転刈刃の回転の正方向に向かって隣接する前記刃底が研がれている面と同一であって、それぞれ前記回転刈刃の回転の逆方向に向かって隣接する前記刃底が研がれている面と異なることにより、上記課題を解決する。
【００１４】
本考案による別の回転刈刃は、外周部に複数の背刃及び複数の刃底を有する、草刈機又は刈払機に装着することが可能な略円形の回転刈刃であって、前記複数の背刃の研ぎ角度がいずれもアサリが施される前に回転刈刃を平面上に置いたときに水平面に対して７０度から７５度の範囲内であり、前記複数の刃底の研ぎ角度がいずれもアサリが施される前に回転刈刃を平面上に置いたときに水平面に対して６５度から７５度の範囲内であり、前記複数の刃底が研がれている面は一つの背刃を挟んで隣接する二つの刃底において異なり、前記複数の背刃の研がれている面は、それぞれ前記回転刈刃の回転の正方向に向かって隣接する前記刃底が研がれている面と同一であって、それぞれ前記回転刈刃の回転の逆方向に向かって隣接する前記刃底が研がれている面と異なり、前記回転刈刃の厚みの０．８〜１．２倍のアサリが前記複数の背刃に施されていることにより、上記課題を解決する。
【考案の効果】
【００１５】
本考案による回転刈刃は、従来品より向上した切れ味を有するため、草刈機及び刈払機に装着して使用することにより、従来の回転刈刃を使用した場合と比較してより太い草や木をより高速に切断することができる。その結果、草刈機及び刈払機を使用した草刈り及び刈払い作業の効率性を向上させ、作業者の身体の疲労並びに草刈機及び刈払機の負荷を軽減することができる。
【００１６】
さらに、エンジンの負荷を含む草刈機及び刈払機の負荷が軽減される結果、草刈機及び刈払機の燃料消費も軽減される。また、回転刈刃自体の摩耗も軽減されるので、従来品より長期に亘って同じ回転刈刃を使用することができる。
【考案を実施するための最良の形態】
【００１７】
以下、図面を参照しながら本考案の実施の形態について説明する。
【実施例１】
【００１８】
図１は、本考案による回転刈刃の平面図を示す。本考案による回転刈刃は従来の回転刈刃にいくつかの加工を施したものである。本考案の回転刈刃においては、従来の笹刈り刃とは異なり、刃底１１と、回転の逆方向において刃底１１に隣接する背刃１２が同一面（図１における表面）において研がれている。次に回転の逆方向において背刃１２に隣接する刃底１３は背刃１２とは反対の面（図１における裏面）において研がれており、回転の逆方向において刃底１３に隣接する背刃１４は刃底１３と同一の面（図１における裏面）において研がれている。
【００１９】
図１において見える面を回転刈刃の表面とすると、回転の逆方向（図１における時計回り方向）に向かって、刃底及び背刃の研がれている面はそれぞれ以下の表２の通りとなる。
【表２】
0003201109.tif 000004
【００２０】
一般に回転刈刃の背刃及び刃底の数はそれぞれ数十であって同数であるが、表２では簡略化のためにそれぞれ四つの背刃及び刃底についてのみ研がれた面を示し、また背刃１８以降の参照符号は省略した。図１に示される通り、続く背刃及び刃底についても、同様に表面、表面、裏面、裏面の順に研がれている。
【００２１】
換言すれば、各背刃の研がれている面は、それぞれ回転刈刃１０の回転の正方向に向かって隣接する各刃底が研がれている面と同一であって、それぞれ回転刈刃１０の回転の逆方向に向かって隣接する刃底が研がれている面と異なる。例えば、背刃１２の研がれている面は回転刈刃１０の回転の正方向に向かって隣接する刃底１１が研がれている面と同一であって、回転刈刃１０の回転の逆方向に向かって隣接する刃底１３が研がれている面と異なる。
【００２２】
図２は、本考案による回転刈刃の側面図を示す。本考案による回転刈刃の背刃にはアサリが施されており、アサリとは刃を側面から見たときに刃先が左右に交互に曲げられていることを意味する。本考案による回転刈刃においては回転刈刃の厚みと同じ程度のアサリが施されており、すなわち各背刃は回転刈刃の厚みと同じ程度に左右に交互に曲げられている。なお、ここでいう「回転刈刃の厚みと同じ程度」とは回転刈刃の厚みの０．８〜１．２倍を意味し、考案者の作業経験上、前記範囲が草刈機及び刈払機の良好な切断性能が得られるアサリの範囲であると考えられる。
【００２３】
図３は、図１の部分Ｂの拡大平面図であり、本考案による回転刈刃の研ぎ方を示す。図３に示される通り、回転刈刃は回転の逆方向（時計回り）において隣接する刃底１１と背刃１２について同一面において研がれている。ここで回転刈刃を平面上に置いた場合に、好適な各刃底の研ぎ角度は水平面に対して６５度から７０度の範囲内であり、好適な各背刃の研ぎ角度は水平面に対して７０度から７５度の範囲内である。なお、図１及び図３における点線は、点線と回転刈刃１０の外周により囲まれる部分が、裏面において研がれていることを示す。
【００２４】
図４は、本考案による回転刈刃のアサリの施し方を示す部分側面図である。図４は、一つの刃底を挟んで隣接する二つの背刃が重なるような視点から見た際の見え方を示している。図４に示されるように、背刃１４は側面から見て回転刈刃の厚み程度左方向に曲げられており、一つの刃底を挟んで背刃１４に隣接する背刃１２は側面から見て回転刈刃の厚み程度右方向に曲げられている。各背刃は、背刃１２，１４のように交互に曲げられており、曲げられている方向は回転刈刃の側面から中心に向かって見た場合には左右方向である。
【００２５】
本考案の回転刈刃を研ぐ作業及びアサリを施す作業の詳細については、従来の回転刈刃とほぼ同様である。刃底については丸ヤスリと呼ばれる円筒状のヤスリで手作業により研ぎ、背刃については先にグラインダ等で削ってから、平ヤスリで手作業により研ぐ。背刃のアサリについては、プレス機を使うか自動機又は手作業で槌により叩くことにより、施すことが可能である。
【００２６】
図５は、本考案の回転刈刃の背刃の研ぎ角度を示す説明図である。図５は、アサリが施される前の回転刈刃１０が水平面９０上に置かれた状態において、図３の一点鎖線Ｄにより回転刈刃１０を切断した場合の部分断面図である。図５に示されるように、背刃１２の先端と直交する断面において、背刃１２と水平面がなす角は７０〜７５度である。換言すれば、背刃１２の研がれた面と水平面がなす角度、すなわち背刃１２の研ぎ角度は７０〜７５度であると言える。裏面において研がれた背刃１４については図示を省略するが、これもアサリが施される前に裏面を上にして水平面９０上に置いた際には、研がれた面が背刃１２と同様に水平面に対して７０〜７５度の角をなす。
【００２７】
図６は、本考案の回転刈刃の刃底の研ぎ角度を示す説明図である。図６は、アサリが施される前の回転刈刃１０が水平面９０上に置かれた状態において、図３の一点鎖線Ｅにより回転刈刃１０を切断した場合の部分断面図である。図６に示されるように、刃底１１の最も深い部分を通る断面において、背刃１２と水平面がなす角は６５〜７５度である。換言すれば、刃底１１の研がれた面と水平面がなす角度、すなわち刃底１１の研ぎ角度は６５〜７５度であると言える。裏面において研がれた刃底１３については図示を省略するが、これもアサリが施される前に裏面を上にして水平面９０上に置いた際には、研がれた面が刃底１１と同様に水平面に対して６５〜７５度の角をなす。説明の簡略化のため、図５及び図６はアサリが施される前の回転刈刃１０の状態を図示しており、本段落及び前段落における図５及び図６の説明においてもアサリの存在は無視している。
【００２８】
本考案の回転刈刃が従来品と比較して良好な切断性能を有することは、考案者の草刈り作業経験において確認されている。例えば、最大で５ｃｍ程度の木を切断することができる従来の回転刈刃を加工して本考案の回転刈刃とした場合には、１０ｃｍ程度の木を切断することが可能である。
【産業上の利用可能性】
【００２９】
草刈機及び刈払機の回転刈刃に利用することができる。また、前記に限らない機械に装着される回転刃への適用も考えられる。
【図面の簡単な説明】
【００３０】
【図１】本考案による回転刈刃の平面図を示す。
【図２】本考案による回転刈刃の側面図を示す。
【図３】本考案による回転刈刃の研ぎ方を示す部分平面図である。
【図４】本考案による回転刈刃のアサリの施し方を示す部分側面図である。
【図５】本考案の回転刈刃の背刃の研ぎ角度を示す説明図である。
【図６】本考案の回転刈刃の刃底の研ぎ角度を示す説明図である。
【図７】従来の回転刈刃の平面図である。
【図８】従来の回転刈刃の側面図である。
【図９】図７の部分を拡大した拡大平面図である。
【図１０】従来の回転刈刃のアサリの施し方の例を示す部分側面図である。
【符号の説明】
【００３１】
１０，５０  回転刈刃
１１，１３，１５，１７，５１，５３  刃底
１２，１４，１６，１８，５２，５４  背刃
９０  水平面
Ｂ，Ｃ  部分
Ｄ，Ｅ  一点鎖線
【図１】
0003201109.tif 000005
【図２】
0003201109.tif 000006
【図３】
0003201109.tif 000007
【図４】
0003201109.tif 000008
【図５】
0003201109.tif 000009
【図６】
0003201109.tif 000010
【図７】
0003201109.tif 000011
【図８】
0003201109.tif 000012
【図９】
0003201109.tif 000013
【図１０】
0003201109.tif 000014